【事件の表示】
　特願２０１４−８３１４５号「クローラ」拒絶査定不服審判事件〔平成２７年１１月１６日出願公開、特開２０１５−２０２７８６号〕について、次のとおり審決する。
【結　論】
　本件審判の請求は、成り立たない。
【理　由】
第１　手続の経緯
　本願は、平成２６年４月１４日の出願であって、その手続きの経緯は以下のとおりである。
　平成２７年８月７日付け　　：拒絶理由の通知
　平成２７年１０月１９日　　：意見書、手続補正書の提出
　平成２７年１１月５日付け　：拒絶査定
　平成２８年２月１０日　　　：審判請求書、手続補正書の提出
第２　平成２８年２月１０日にされた手続補正についての補正の却下の決定
［補正の却下の決定の結論］
　平成２８年２月１０日にされた手続補正を却下する。
［理由］
１．補正の内容
　平成２８年２月１０日にされた手続補正（以下、「本件補正」という。）は、特許請求の範囲の補正を含むものであって、請求項１について補正前後の記載を補正箇所に下線を付して示すと以下のとおりである。
（補正前の請求項１）
「弾性材料によって形成され、駆動輪及び従動輪に巻き掛けられる無端帯状のクローラ本体と、
　前記クローラ本体に埋設され、前記クローラ本体の内周面を形成する本体内周部のクローラ外周側に重ねられ、クローラ周方向に延びるメインコードを備えるメインコード層と、
　前記クローラ本体に埋設され、クローラ周方向に対して斜めに延びる第１バイアスコードをクローラ周方向に並列して構成された第１バイアスプライを備え、前記メインコード層のクローラ外周側に重ねられる第１バイアスコード層と、
　前記クローラ本体に埋設され、クローラ周方向に対して斜めに延びると共に前記第１バイアスコードと交差する第２バイアスコードをクローラ周方向に並列して構成された第２バイアスプライを備え、前記第１バイアスコード層のクローラ外周側に重ねられる第２バイアスコード層と、
　前記クローラ本体に埋設され、前記第２バイアスコード層のクローラ外周側に重ねられると共に前記クローラ本体の外周面を形成する本体外周部のクローラ内周側に重ねられ、クローラ幅方向に沿って延びる保護コードをクローラ周方向に並列して構成された保護プライを複数枚重ねて形成された保護コード層と、
　を有し、
　前記本体内周部の厚みは、前記本体外周部の厚みよりも厚い、クローラ。」
（補正後の請求項１）
「弾性材料によって形成され、駆動輪及び従動輪に巻き掛けられる無端帯状のクローラ本体と、
　前記クローラ本体に埋設され、前記クローラ本体の内周面を形成する
無端帯状の
　前記クローラ本体に埋設され、クローラ周方向に対して斜めに延びる第１バイアスコードをクローラ周方向に並列して構成された第１バイアスプライを備え、前記メインコード層のクローラ外周側に重ねられる第１バイアスコード層と、
　前記クローラ本体に埋設され、クローラ周方向に対して斜めに延びると共に前記第１バイアスコードと交差する第２バイアスコードをクローラ周方向に並列して構成された第２バイアスプライを備え、前記第１バイアスコード層のクローラ外周側に重ねられる第２バイアスコード層と、
　前記クローラ本体に埋設され、前記第２バイアスコード層のクローラ外周側に重ねられると共に前記クローラ本体の外周面を形成する
無端帯状の
　を有し、
　前記本体内周部の厚みは、前記本体外周部の厚みよりも厚い、クローラ。」
２．補正の適否
（１）新規事項の追加の有無、シフト補正の有無、及び補正の目的の適否について
　上記補正は、補正前の請求項１に記載された発明を特定するために必要な事項である「本体内周部」及び「本体外周部」について、本願の願書に最初に添付された明細書の段落【００２４】の記載を根拠に、それぞれ、「無端帯状」との限定を付加するものであるから、発明特定事項を限定するものであって、新規事項を追加するものではなく、また、補正前後において発明の産業上の利用分野及び解決しようとする課題が同一である。
　したがって、特許法第１７条の２第５項第２号に掲げられた特許請求の範囲の減縮を目的とするものに該当するとともに、特許法第１７条の２第３項に適合するものである。
　また、上記補正は、特許法第１７条の２第４項に規定する要件を満たすものである。
　そこで、本件補正後の請求項１に記載された事項により特定される発明（以下、「本願補正発明」という。）が、特許出願の際独立して特許を受けることができるものであるかについて以下検討する。
（２）独立特許要件
ア．引用例の記載事項
（ア）引用例１の記載事項及び引用発明
　原査定の拒絶の理由に引用文献１として示された特開２０１３−１６６４７５号公報（以下、「引用例１」という。）には、「弾性クローラ」に関し、以下の事項が記載されている（下線部は当審で付与。以下同様。）。
ａ．「【００２５】
　
第１実施形態に係る弾性クローラの一例としての無端状のゴムクローラ１０は、芯金をもたない、いわゆる芯金レスタイプの弾性クローラである。
ｂ．「【００３３】
　図１に示すように、
ゴムクローラ１０は、ゴム材を無端帯状に形成したゴムベルト１２を有している。
【００３４】
　
また、図１、図５に示すように、ゴムベルト１２の外周には、地面Ｇと接地する接地面１３が形成されている。この接地面１３は、平坦状とされている。
ｃ．「【００３７】
　本実施形態では、前述のように、駆動輪１００、遊動輪１０２、及び転輪１０４が車輪転動面１６上を転動する。
　
ここで、ゴムクローラ１０（ゴムベルト１２）が所定の張力をもって、駆動輪１００及び遊動輪１０２に巻き掛けられることにより
ｄ．「【００４１】
　
図３に示すように、ゴムベルト１２には、クローラ周方向に沿って延びる無端帯状のベルト層２０が埋設されている。
【００４２】
　
ベルト層２０について具体的に説明すると、図３に示すように、本実施形態のベルト層２０は、クローラ内周側から順にメインコード層２２、傾斜コード層２４、２６、及びゼロ度コード層２８を積層（本実施形態では、４層積層）して構成されている。
【００４３】
　
メインコード層２２は、クローラ周方向に沿って螺旋状に巻回された１本のメインコード２２Ａをゴム被覆して形成、または、クローラ周方向に沿う複数本のメインコード２２Ａを並列（クローラ幅方向に並列）させると共にゴム被覆して形成されている。
　なお、本実施形態では、引張り強度に優れるスチールコードをメインコード２２Ａとして用いているが、本発明はこの構成に限定されず、十分な引張り強度を有していれば、有機繊維（例えば、ナイロン繊維、芳香族ポリアミド繊維など）で構成した有機繊維コードをメインコード２２Ａとして用いてもよい。
【００４４】
　
傾斜コード層２４は、メインコード２２Ａに対して傾斜する傾斜コード２４Ａをクローラ周方向に並列させると共にゴム被覆して形成されている。
　一方、傾斜コード層２６は、メインコード２２Ａに対して傾斜コード２４Ａと逆向きに傾斜する傾斜コード２６Ａをクローラ周方向に並列させると共にゴム被覆して形成されている。
【００４５】
　
また、ゼロ度コード層２８は、メインコード２２Ａに対して直交する、またはクローラ幅方向に沿う（クローラ周方向に対して９０度）ゼロ度コード２８Ａをクローラ周方向に並列させると共にゴム被覆して形成されている。
ｅ．「【００４７】
　なお、本実施形態では、クローラ内周側から順にメインコード層２２、傾斜コード層２４、２６、及びゼロ度コード層２８を積層してベルト層２０を構成しているが、本発明はこの構成に限定されず、ベルト層２０を構成する各コード層の積層順序は、仕様に応じて種々変更してもよい。例えば、クローラ内周側から順にメインコード層２２、ゼロ度コード層２８、傾斜コード層２４、及び傾斜コード層２６を積層してベルト層２０を構成してもよい。
　
また、本実施形態では、ベルト層２０を上述の４層のコード層（コード層２２、２４、２６、２８）で構成しているが、本発明はこの構成に限定されず、ベルト層２０を５層以上のコード層で構成しても、３層以下のコード層で構成してもよい。
　これらの記載事項ａ．〜ｅ．及び図面内容を総合し、本願補正発明の記載ぶりに倣って整理すると、引用例１には、以下の発明（以下、「引用発明」という。）が記載されていると認められる。
「ゴム材によって形成され、駆動輪１００及び遊動輪１０２に巻き掛けられる無端帯状のゴムベルト１２と、
　クローラ内周側から順にメインコード層２２、傾斜コード層２４、２６、及びゼロ度コード層２８を積層して構成され、前記ゴムベルト１２に埋設されているベルト層２０と、
を有し、
　前記ゴムベルト１２の外周には平坦状の接地面１３が形成されており、
　前記メインコード層２２は、クローラ周方向に沿う複数本のメインコード２２Ａをクローラ幅方向に並列させると共にゴム被覆して形成されており、
　前記傾斜コード層２４は、メインコード２２Ａに対して傾斜する傾斜コード２４Ａをクローラ周方向に並列させると共にゴム被覆して形成されており、
　前記傾斜コード層２６は、メインコード２２Ａに対して傾斜コード２４Ａと逆向きに傾斜する傾斜コード２６Ａをクローラ周方向に並列させると共にゴム被覆して形成されており、
　前記ゼロ度コード層２８は、クローラ幅方向に沿うゼロ度コード２８Ａをクローラ周方向に並列させると共にゴム被覆して形成されている、
　芯金レスゴムクローラ１０。」
（イ）引用例２の記載事項
　原査定の拒絶の理由に引用文献５として示された国際公開第２００１／５３１４４号（以下、「引用例２」という。）には、以下の事項が記載されている。
ａ．明細書第２頁２５行目から同頁２８行目
「本発明の基本的な構成を示すもので、
スチール等からなる周方向メインコード５とその外周側（接地側で図面下方）に配設された同じくスチール等からなるバイアス等の補強コード７、８が厚さＴの本体部２に埋設された芯金レスゴムクローラ１
ｂ．明細書第３頁１６行目から同頁２４行目
「図２は、本発明のゴムクローラの第２実施の形態を示す横断面図である。
　
本実施の形態では、メインコード５の埋設深さＨを、Ｈ＞１／２×Ｔとなるように埋設して構成したことを特徴とする。つまり、最内層に埋設されるメインコード５を本体部２の厚さＴの半分より接地部側に配設したものである。
　このような構成によって、内周面側に充分なゴム厚を確保することができるので、走行時の緩衝機能が向上する他、巻掛け中心であるメインコード５からの接地側のゴム厚さを小さくして、引張り歪みを受ける接地ラグ側の変形歪みを小さくでき、耐久性が向上する
イ．発明の対比
（ア）本願補正発明と引用発明とを対比すると、その意味、機能または構造からみて、引用発明の「ゴム材」は本願補正発明の「弾性材料」に相当し、以下同様に、「駆動輪１００」は「駆動輪」に、「遊動輪１０２」は「従動輪」に、「ゴムベルト１２」は「クローラ本体」に、「平坦状の接地面１３」は「クローラ本体の外周面」に、「メインコード２２Ａ」は「メインコード」に、「傾斜コード２４Ａ」は「第１バイアスコード」に、「傾斜コード２６Ａ」は「第２バイアスコード」に、「芯金レスゴムクローラ１０」は「クローラ」に、それぞれ相当する。
　また、引用発明の「ゼロ度コード２８Ａ」と本願補正発明の「保護コード」は、「コード」という限度で一致する。
（イ）引用発明の「ゴム材によって形成され、駆動輪１００及び遊動輪１０２に巻き掛けられる無端帯状のゴムベルト１２」は、本願補正発明の「弾性材料によって形成され、駆動輪及び従動輪に巻き掛けられる無端帯状のクローラ本体」に相当する。
（ウ）引用発明の「メインコード層２２」は、「クローラ内周側から順にメインコード層２２、傾斜コード層２４、２６、及びゼロ度コード層２８を積層して構成され、前記ゴムベルト１２に埋設されているベルト層２０」と特定されるように、ゴムベルト１２に埋設されているベルト層２０の最内周側に位置しており、併せて図３、５、６も参照すると、「メインコード層２２」は、ゴムベルト１２に埋設され、前記ゴムベルト１２の内周面を形成するゴムベルト内周部のクローラ外周側に重ねられるものと認められる。
　そして、引用発明の「ゴムベルト１２」は無端帯状であるから、ゴムベルト１２の内周面を形成するゴムベルト内周部も無端帯状であるものと認められる。
　したがって、引用発明の「クローラ周方向に沿う複数本のメインコード２２Ａをクローラ幅方向に並列させると共にゴム被覆して形成されて」いる「メインコード層２２」は、本願補正発明の「前記クローラ本体に埋設され、前記クローラ本体の内周面を形成する無端帯状の本体内周部のクローラ外周側に重ねられ、クローラ周方向に延びるメインコードを備えるメインコード層」に相当する。
（エ）引用発明の「傾斜コード層２４」は、「クローラ内周側から順にメインコード層２２、傾斜コード層２４、２６、及びゼロ度コード層２８を積層して構成され、前記ゴムベルト１２に埋設されているベルト層２０」と特定されるように、ゴムベルト１２に埋設されているベルト層２０においてメインコード層２２の外周側に積層されており、併せて図３、５、６も参照すると、「傾斜コード層２４」は、ゴムベルト１２に埋設され、メインコード層２２のクローラ外周側に重ねられるものと認められる。
　また、引用発明の「傾斜コード層２４」は、「傾斜コード２４Ａをクローラ周方向に並列させると共にゴム被覆して形成されて」いるので、バイアスプライを備えているものと認められる。
　そして、引用発明の「傾斜コード２４Ａ」は、「クローラ周方向に沿う」「メインコード２２Ａに対して傾斜する」ものであるから、クローラ周方向に対して斜めに延びるものと認められる。
　したがって、引用発明の「メインコード２２Ａに対して傾斜する傾斜コード２４Ａをクローラ周方向に並列させると共にゴム被覆して形成されて」いる「傾斜コード層２４」は、本願補正発明の「前記クローラ本体に埋設され、クローラ周方向に対して斜めに延びる第１バイアスコードをクローラ周方向に並列して構成された第１バイアスプライを備え、前記メインコード層のクローラ外周側に重ねられる第１バイアスコード層」に相当する。
（オ）引用発明の「傾斜コード層２６」は、「クローラ内周側から順にメインコード層２２、傾斜コード層２４、２６、及びゼロ度コード層２８を積層して構成され、前記ゴムベルト１２に埋設されているベルト層２０」と特定されるように、ゴムベルト１２に埋設されているベルト層２０において傾斜コード層２４の外周側に積層されており、併せて図３、５、６も参照すると、「傾斜コード層２６」は、ゴムベルト１２に埋設され、傾斜コード層２４のクローラ外周側に重ねられるものと認められる。
　また、引用発明の「傾斜コード層２６」は、「メインコード２２Ａに対して傾斜コード２４Ａと逆向きに傾斜する傾斜コード２６Ａをクローラ周方向に並列させると共にゴム被覆して形成されて」いるので、バイアスプライを備えているものと認められる。
　そして、引用発明の「傾斜コード２６Ａ」は、「クローラ周方向に沿う」「インコード２２Ａに対して傾斜コード２４Ａと逆向きに傾斜する」ものであるから、クローラ周方向に対して斜めに延びると共に傾斜コード２４Ａと交差するものと認められる。
　したがって、引用発明の「メインコード２２Ａに対して傾斜コード２４Ａと逆向きに傾斜する傾斜コード２６Ａをクローラ周方向に並列させると共にゴム被覆して形成されて」いる「傾斜コード層２６」は、本願補正発明の「前記クローラ本体に埋設され、クローラ周方向に対して斜めに延びると共に前記第１バイアスコードと交差する第２バイアスコードをクローラ周方向に並列して構成された第２バイアスプライを備え、前記第１バイアスコード層のクローラ外周側に重ねられる第２バイアスコード層」に相当する。
（カ）引用発明の「ゼロ度コード層２８」は、「クローラ内周側から順にメインコード層２２、傾斜コード層２４、２６、及びゼロ度コード層２８を積層して構成され、前記ゴムベルト１２に埋設されているベルト層２０」と特定されるように、ゴムベルト１２に埋設されているベルト層２０の最外周側に位置しており、併せて図３、５、６も参照すると、「ゼロ度コード層２８」は、ゴムベルト１２に埋設され、傾斜コード層２６のクローラ外周側に重ねられると共にゴムベルト１２の外周面である接地面１３を形成するゴムベルト外周部のクローラ内周側に重ねられるものと認められる。
　そして、引用発明の「ゴムベルト１２」は無端帯状であるから、ゴムベルト１２の外周面である接地面１３を形成するゴムベルト外周部も無端帯状であるものと認められる。
　また、引用発明の「ゼロ度コード層２８」は、「クローラ幅方向に沿うゼロ度コード２８Ａをクローラ周方向に並列させると共にゴム被覆して形成されて」いるので、プライから形成されているものと認められる。
　したがって、引用発明の「クローラ幅方向に沿うゼロ度コード２８Ａをクローラ周方向に並列させると共にゴム被覆して形成されている」「ゼロ度コード層２８」と、本願補正発明の「前記クローラ本体に埋設され、前記第２バイアスコード層のクローラ外周側に重ねられると共に前記クローラ本体の外周面を形成する無端帯状の本体外周部のクローラ内周側に重ねられ、クローラ幅方向に沿って延びる保護コードをクローラ周方向に並列して構成された保護プライを複数枚重ねて形成された保護コード層」は、「前記クローラ本体に埋設され、前記第２バイアスコード層のクローラ外周側に重ねられると共に前記クローラ本体の外周面を形成する無端帯状の本体外周部のクローラ内周側に重ねられ、クローラ幅方向に沿って延びるコードをクローラ周方向に並列して構成されたプライから形成されたコード層」という限度で一致する。
　したがって、本願補正発明と引用発明とは、以下の点で一致している。
＜一致点＞
「弾性材料によって形成され、駆動輪及び従動輪に巻き掛けられる無端帯状のクローラ本体と、
　前記クローラ本体に埋設され、前記クローラ本体の内周面を形成する無端帯状の本体内周部のクローラ外周側に重ねられ、クローラ周方向に延びるメインコードを備えるメインコード層と、
　前記クローラ本体に埋設され、クローラ周方向に対して斜めに延びる第１バイアスコードをクローラ周方向に並列して構成された第１バイアスプライを備え、前記メインコード層のクローラ外周側に重ねられる第１バイアスコード層と、
　前記クローラ本体に埋設され、クローラ周方向に対して斜めに延びると共に前記第１バイアスコードと交差する第２バイアスコードをクローラ周方向に並列して構成された第２バイアスプライを備え、前記第１バイアスコード層のクローラ外周側に重ねられる第２バイアスコード層と、
　前記クローラ本体に埋設され、前記第２バイアスコード層のクローラ外周側に重ねられると共に前記クローラ本体の外周面を形成する無端帯状の本体外周部のクローラ内周側に重ねられ、クローラ幅方向に沿って延びるコードをクローラ周方向に並列して構成されたプライから形成されたコード層と、
　を有する、クローラ。」
　そして、本願補正発明と引用発明とは、以下の点で相違している。
＜相違点１＞
　「前記第２バイアスコード層のクローラ外周側に重ねられると共に前記クローラ本体の外周面を形成する無端帯状の本体外周部のクローラ内周側に重ねられ」る「コード層」に関し、
　本願補正発明では、「クローラ幅方向に沿って延びる『保護』コードをクローラ周方向に並列して構成された『保護』プライを『複数枚重ねて』形成された『保護』コード層」であるのに対し、
　引用発明では、そのように特定されていない点。
＜相違点２＞
　本願補正発明では、「前記本体内周部の厚みは、前記本体外周部の厚みよりも厚い」のに対し、
　引用発明では、そのように特定されていない点。
ウ．相違点の検討
（ア）相違点１について
　上記ア．（ア）ｅ．（段落【００４７】）に「また、本実施形態では、ベルト層２０を上述の４層のコード層（コード層２２、２４、２６、２８）で構成しているが、本発明はこの構成に限定されず、ベルト層２０を５層以上のコード層で構成しても、３層以下のコード層で構成してもよい。」と記載されているように、引用例１には、引用発明の「クローラ内周側から順にメインコード層２２、傾斜コード層２４、２６、及びゼロ度コード層２８を積層して構成され、前記ゴムベルト１２に埋設されているベルト層２０」を、５層以上のコード層で構成することが示唆されている。
　一方、例えば、特開２００９−２４８９０４号公報（段落【００２２】、【００２９】、【００３０】及び図３等に記載の、第２、第３、第４の補強層３３、３４、３５の点参照）又は特開２０１０−３６７３０号公報（段落【００２２】及び図２等に記載の、二層の０°コード層６、７の点）に記載されるように、芯金レスゴムクローラにおいて、ゴムクローラの外周側にゼロ度コード層を複数重ねて配置するという技術は、従来周知の技術である。
　してみれば、引用発明において、上記周知の技術を参酌しつつ、「クローラ内周側から順にメインコード層２２、傾斜コード層２４、２６、及びゼロ度コード層２８を積層して構成され、前記ゴムベルト１２に埋設されているベルト層２０」を、５層以上のコード層で構成するとの示唆に基いて、ゼロ度コード層を複数重ねることで、ベルト層２０を５層以上とすることは、当業者にとって格別の困難性を要するものではない。
　そして、その結果として、引用発明の「ゼロ度コード層」は、本願補正発明の「保護コード層」と同様の構成を有することになるから、本願補正発明同様に、傾斜コード層２４、２６等に対する保護機能を奏する、すなわち、「保護コード層」として機能するものと認められる。
　なお、請求人は、平成２８年４月２０日提出の上申書において、周知例として例示した特開２０１０−３６７３０号公報について、「引用文献２（特開２０１０−３６７３０号公報）には二層の０°コード層が記載されています。しかしながら、段落［０００６］に『バイアスコード層を排除して、』と明記され、段落［０００３］に『バイアスコード層によってゴムクローラの巻き掛け追従性が小さくなり、歯飛びが発生しやすくなる』という問題が生じることが記載されているように、引用文献２の０°コード層については、バイアスコード層との組合せが除外されています。よって、当業者が、引用文献２の二層の０°コード層を、引用文献１のクローラに適用することはありません。」と主張しているが、例えば、特開２０１０−３６７３０号公報の段落【００１９】には、「このように構成してなるゴムクローラ１は、補強層２を、メインコード層５と、二層の０°コード層６，７とで構成してなることで、周方向張力に対してはメインコード層５が、そして、幅方向拡縮力に対しては０°コード層６，７がそれぞれ高い抗力を発揮することができる。」と記載されている。そして、当該公報にバイアスコード層を除外することが記載されているとしても、０°コード層を複数重ねるという技術及びその作用効果を把握することは可能であり、その技術の適用が容易であることは上述したとおりである。したがって、上記請求人の主張は採用できない。
（イ）相違点２について
　上記ア．（イ）ａ．、ｂ．の記載事項及び図面内容を総合すると、引用例２には、以下の技術的事項が記載されていると認められる（以下、「引用例２に記載の技術的事項」という。）。
「周方向メインコード５とその外周側に配設された補強コード７、８が厚さＴの本体部２に埋設された芯金レスゴムクローラ１において、最内層に埋設される前記メインコード５を本体部２の厚さＴの半分より接地部側に配設した、芯金レスゴムクローラ１。」
　引用発明と引用例２に記載の技術的事項とを対比すると、その意味、機能または構造からみて、引用例２に記載の技術的事項の「芯金レスゴムクローラ１」、「本体部２」は、それぞれ、本願補正発明の「クローラ」、「クローラ本体」に相当する。
　そして、引用例２に記載の技術的事項の「芯金レスゴムクローラ１」において、「最内層に埋設される前記メインコード５」は「本体部２の厚さＴの半分より接地部側に配設」されており、併せて図２を参照すると、本体部２の内周面を形成する本体内周部の厚みは、本体部２の外周面を形成する本体外周部の厚みよりも厚いものと認められる。
　したがって、引用例２には、相違点２に係る本願補正発明の発明特定事項と同様な事項が記載されていると認められる。
　ここで、上記ア．（イ）ｂ．に「このような構成によって、内周面側に充分なゴム厚を確保することができるので、走行時の緩衝機能が向上する他、巻掛け中心であるメインコード５からの接地側のゴム厚さを小さくして、引張り歪みを受ける接地ラグ側の変形歪みを小さくでき、耐久性が向上する」と記載されるように、引用例２に記載の技術的事項により、芯金レスゴムクローラ１の走行時の緩衝機能の向上及び耐久性の向上が図られることが記載されている。
　そして、引用発明の「芯金レスゴムクローラ１０」においても、走行時の緩衝機能の向上及び耐久性の向上が好ましいことは、当業者にとって自明の事項である。
　また、引用発明の「芯金レスゴムクローラ１０」と引用例２に記載の技術的事項の「芯金レスゴムクローラ１」は、ともに芯金レスゴムクローラという点で共通するものでもある。
　そうすると、引用例２に記載の技術的事項を、引用発明に適用する動機付けは十分にあるといえる。
　してみれば、引用例２に記載の技術的事項を、引用発明に適用し、相違点２に係る本願補正発明の発明特定事項とすることは、当業者にとって格別の困難性を要するものではない。
（ウ）そして、本願補正発明の奏する作用効果は、引用発明、引用例２に記載の技術的事項及び従来周知の技術の奏する作用効果から予測される範囲内のものに過ぎず、格別顕著なものということはできない。
エ．まとめ
　したがって、本願補正発明は、引用発明、引用例２に記載の技術的事項及び従来周知の技術に基いて当業者が容易に発明をすることができたものであるから、特許法第２９条第２項の規定により、特許を受けることができない。
　よって、本願補正発明は、特許出願の際独立して特許を受けることができるものではない。
３　むすび
　以上のとおりであるから、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明 
　本件補正は上記のとおり却下されたので、本願の請求項１に係る発明は、平成２７年１０月１９日にされた手続補正によって補正された特許請求の範囲の請求項１に記載された事項により特定されるとおりのものと認められるところ、かかる請求項１に係る発明（以下、「本願発明」という。）は、上記「第２　１．（補正前の請求項１）」に記載されたとおりのものである。
第４　引用例とその記載事項等
　原査定の拒絶の理由に引用された引用例１及び２、その記載事項、引用例１に記載された発明及び引用例２に記載の技術的事項は、上記「第２　２．（２）ア．」に記載したとおりである。
第５　当審の判断
　本願発明は、本願補正発明から、上記「第２　２．（１）」で述べたとおりの限定事項を省いたものである。
　そうすると、本願発明の発明特定事項を含み、さらに他の限定を付加したものに相当する本願補正発明が、上記「第２　２．（２）ウ．、エ．」で述べたとおり、引用発明、引用例２に記載の技術的事項及び従来周知の技術に基いて当業者が容易に発明をすることができたものであるから、本願発明も同様の理由により、引用発明、引用例２に記載の技術的事項及び従来周知の技術に基いて当業者が容易に発明をすることができたものといえる。
第６　むすび
　以上のとおり、本願発明は、引用発明、引用例２に記載の技術的事項及び従来周知の技術に基いて当業者が容易に発明をすることができたものであるから、特許法第２９条第２項の規定により特許を受けることができない。
　したがって、その余の請求項について検討するまでもなく、本願は拒絶すべきものである。
　よって、結論のとおり審決する。